(57)【特許請求の範囲】
【請求項１】
機体の上部を覆う開閉可能な蓋体上に所要数の錠剤分割収容室が配列され、該錠剤分割収容室の下側には、該錠剤分割収容室の配列に対応する錠剤受入れ部を有して間欠横行自在な錠剤分割移動容器が配置され、該錠剤分割移動容器の各錠剤受入れ部の底部には開閉蓋が付設され、前記錠剤分割移動容器の下側には前記錠剤分割移動容器の走行路を構成する走行路構成部材が配置され、前記錠剤分割移動容器が間欠的に走行すると、各錠剤受入れ部の開閉蓋が順次開いて、各錠剤受入れ部内の錠剤が、錠剤ホッパー内に投入され、該錠剤ホッパーから包装部に送られるように構成される薬剤包装機において、
前記錠剤分割移動容器は前記走行路構成部材から持上げ可能とされ、前記走行路構成部材は開閉可能とされ、該走行路構成部材が開いたときに前記錠剤ホッパーの上方が開放されるように構成されていることを特徴とする薬剤分包機。
【請求項２】
前記走行路構成部材は、その基端部が枢支されて、上下方向に開閉できるように設けられていることを特徴とする請求項１に記載の薬剤分包機。
【請求項３】
前記走行路構成部材は、閉じたときに水平に保持され、開いたときに起立することを特徴とする請求項２に記載の薬剤分包機。
【請求項４】
前記走行路構成部材は、走行路の中央部幅方向に空間部を設けて、左右にそれぞれ配置されることを特徴とする請求項１〜３のいずれかに記載の薬剤分包機。
【発明の詳細な説明】
【０００１】
【発明の属する技術分野】
本発明は、薬剤分包機に関するもので、詳しくは分割された錠剤や散剤を包装個所に供給する散剤分割部からホッパー並びにシュート部分を、簡単・容易に清掃できるようにされた薬剤分包機に関するものである。
【０００２】
【従来の技術】
一般に、病院や医院などにおいては、医師の処方に合わせて錠剤や散剤などの調剤した薬剤を個々にあるいは複数種を合体して分包袋内に封入し、患者に供与するようにされている。従来、このような薬剤の分包作業を行う半自動型の分包機としては、例えば特開平７−６１４０２号公報や特開平９−３０９５０３号公報にて開示されるように散剤分割部を機体の上部前側に、そして錠剤分割部を機体の上部に、それぞれ分けて設けられた薬剤分包機が知られている。
【０００３】
この種の薬剤分包機における散剤分割部は、周知のごとく（例えば、前記特開平７−６１４０２号公報参照）散剤を投入する開閉板付のＶ形断面をした分割枡と、この分割枡の下方に往復移動可能に設けられた散剤を一定分量ずつ収納する複数個の散剤収納体と、これら各散剤収納体の底部に設けられる開閉蓋を所定位置で開放してその散剤収納体内の散剤を下方に落下させる蓋開閉機構とを備えた構成とされている。そして、散剤が収納された散剤収納体は、間欠的に移動して開閉蓋を開くことにより散剤をホッパーからシュートに落下させて包装部で包装シートによって分包するようにされている。これに対して、錠剤分割部は機体上部に設けられた蓋体に複数の錠剤分割収容室と、この錠剤収容室の直下で間欠的に横移動できるように、前記錠剤分割収容室に対応させた数で底部に開閉蓋を備える複数の錠剤受入れ部を配列される錠剤収納体とが設けられている。その錠剤収納体は、間欠的に移動させて各錠剤受入れ部の開閉蓋を開いて錠剤を前記ホッパーからシュートに落下させて、包装部で前記散剤と同様に包装シートによって分包される。
【０００４】
このような分包機は、小型であるため設置占有場所が小さくて、取扱いが容易であり、価格も廉価であることから、中小規模の病院や診療所，医院などにおいて多く使用されている。
【０００５】
このような従来の小型の薬剤分包機では、処方に従って散剤分割部で散剤を所要数に分割するとともに、錠剤も錠剤分割部で所要数に分割されて、それぞれを順次ホッパーを介してシュートから包装部に供給して、分割包装する作業が行われる。この種の薬剤分包機では、散剤のホッパーと錠剤のホッパーとは別個に形成されて包装部に通じるシュート部分で両者が結合される構造となっている。そして、それらホッパーは、例えば散剤側で取扱う散剤の種類が変更されるときに、前回の散剤が次の散剤に混入しないように付着物を清掃する必要がある。そのために散剤側については清掃が容易な構造とされている。これに対して錠剤側においては、錠剤分割部が所要数で縦横に配列された盤状の錠剤収納体を横移動させて一錠剤受入れ部ごとに底部の開閉蓋を開いて分割された錠剤をホッパーに投下させることから、ホッパーの開口上部を殆ど覆うようにして横移動する構造とされている。
【０００６】
【発明が解決しようとする課題】
一般に、この種小型の薬剤分包機にあっては、患者に対する処方に応じて調剤するに際し、異なるものを分包することが多く、その都度ホッパー並びにシュートに付着している散剤を清掃して先に取扱った薬剤の残留分を除去する必要がある。そのために、通常は清掃用として機体に組込まれた集塵装置の吸込み口を細く絞った吸塵ノズルを備える吸塵具によって、機体上部の蓋体を上に開いて、ホッパー内面に付着する残存散剤末を吸引清掃するようにされている。
【０００７】
このような散剤側に対して錠剤側では、散剤のようにホッパー内面に微粉が付着する度合いは少ないが、頻繁に分割操作を行ううちに錠剤の破損などでその欠片や破損時に発生する微粉がホッパー内面などに付着することがあり、それら微粉や欠片が包装部に混入することがあるので清掃する必要がある。しかしながら、そのホッパーの開口上部は、その殆どを錠剤の分割収納体（多数の錠剤分割ポケットを備えた移動容器）とその移動のための走行路構成部材により覆われる構造になっているので、前記吸塵具の吸塵ノズルを狭い開口部からホッパー開口部に差込むようにして清掃作業を行うことになり、作業性が悪く非能率である。したがって、注意して清掃しないとホッパーやシュートの表面を十分に清掃できず、一部に微粉などが付着残留したままで次の分包作業を行うことになり、異物の混入を招く危険性が生じるという問題点がある。
【０００８】
しかし、需要家の要望する設置小スペースに対応する機体の小型化には、性能を維持してコンパクトに纏めるとどうしても前述のような作業時の問題点を解消することに限界があり、作業性を向上させる目的でホッパー部分に手を加えると構造が複雑になって、かえって作業性を悪くすることになる。
【００１０】
ところで、前記特開平９−３０９５０３号公報にて開示されるものでは、散剤収納体（この公報では移動集合容器と称されている）が二個に分割されていて、複雑な移動操作で分割された散剤をホッパーに投入する構成とされ、清掃時には、個別に移動集合容器を縦横に移動させて吸塵処理される構成のものが記載されている。この公報開示のものでは、錠剤分割部が横行して分割された錠剤をホッパーに投入する構造であるので、ホッパーの開口部を十分に開放できない構造となり、清掃作業を要領よく手早く行うには不都合である。
【００１１】
本発明は、このような問題点を解消するためになされたもので、ホッパーに付着した薬剤の残留分などを清掃する際に、簡単な操作で薬剤の投入経路がオープンにできて確実な清掃が行える構成の薬剤分包機を提供することを目的とするものである。
【００１２】
【課題を解決するための手段および作用・効果】
前述された目的を達成するために、本発明による薬剤分包機は、
機体の上部を覆う開閉可能な蓋体上に所要数の錠剤分割収容室が配列され、該錠剤分割収容室の下側には、該錠剤分割収容室の配列に対応する錠剤受入れ部を有して間欠横行自在な錠剤分割移動容器が配置され、該錠剤分割移動容器の各錠剤受入れ部の底部には開閉蓋が付設され、前記錠剤分割移動容器の下側には前記錠剤分割移動容器の走行路を構成する走行路構成部材が配置され、前記錠剤分割移動容器が間欠的に走行すると、各錠剤受入れ部の開閉蓋が順次開いて、各錠剤受入れ部内の錠剤が、錠剤ホッパー内に投入され、該錠剤ホッパーから包装部に送られるように構成される薬剤包装機において、
前記錠剤分割移動容器は前記走行路構成部材から持上げ可能とされ、前記走行路構成部材は開閉可能とされ、該走行路構成部材が開いたときに前記錠剤ホッパーの上方が開放されるように構成されていることを特徴とするものである。
【００１３】
本発明によれば、錠剤ホッパーの清掃作業を行うときに、蓋体を開いて錠剤分割移動容器を走行路構成部材から持上げ、その後に走行路構成部材を開くことにより、錠剤ホッパーの上方が開放される。したがって、付属する吸塵装置を起動して吸塵ノズルで錠剤ホッパーの奥まで手早く確実に清掃することができる。
【００１４】
本発明において、前記走行路構成部材は、その基端部が枢支されて、上下方向に開閉できるように設けられているのが好ましい。また、前記走行路構成部材は、閉じたときに水平に保持され、開いたときに起立するようにされているのが好ましい。また、前記走行路構成部材は、走行路の中央部幅方向に空間部を設けて、左右にそれぞれ配置されるのが良い。このようにすることで、錠剤ホッパーの上方を大きく開放することができ、清掃を容易に行うことができる。
【００１７】
【発明の実施の形態】
次に、本発明による薬剤分包機の具体的な実施の形態につき、図面を参照しつつ説明する。
【００１８】
図１に本発明の薬剤分包機の一実施例全体外形図が示されている。図２に蓋体を開いた状態の本実施例の薬剤分包機斜視図が、図３（ａ）に錠剤分割移動容器の走行路構成部分を表わす平面図が、図３（ｂ）に図３（ａ）のＡ−Ａ視断面図で走行路構成部材を開いている態様を併記した図が、図４に錠剤分割移動容器の走行路構成部材を開いた状態を表わす斜視図が、それぞれ示されている。
【００１９】
この実施例の薬剤分包機は、箱型構造の機体１の上部を覆う蓋体２に、その前側に散剤の分割枡３が長手方向に配設され、かつ上側のほぼ半分を占めて錠剤分割収容室４が所要の間隔で多数配列され設けてある。そして、機体１の内上部に形成される棚板５の下側中間部には周知構造の包装装置６が配置され、さらにその下側に集塵装置７が内設されている。
【００２０】
前記散剤分割枡３は周知のようにＶ型断面をした構造で、その内部にスライド可能に設けられる仕切板３ａの位置を付設された目盛に合わせて移動させると投入される散剤を所要量に分割する準備が行えるようになっている。この散剤分割枡３とその下側に設けられて移動自在にされた複数個の散剤収納体３２を連結してなる散剤分割器３０とによって散剤分割手段が構成されている。この散剤分割手段は、後述する散剤分割器３０が待機位置にある状態で、前記散剤分割枡３の開閉板を開くと投入されている散剤が一斉に落下して各散剤収納体３２内に受け入れられて分割されるようになっている。
【００２１】
前記錠剤分割収容室４は所要数、例えば６×７列＋３（合計４５）の独立したポケットからなり、その底部に一斉に開閉できるシャッター４ａが設けられて、常時は閉じる構造になっている。このような錠剤分割収容室４の下側には、機体上部にその長手方向に所定の間隔で平行して設けられたガイドレール１１，１１′に案内されて、間欠移動自在に錠剤分割移動容器１２が配置されている。
【００２２】
この錠剤分割移動容器１２は、前記錠剤分割収容室４の配列に合致するようにして多数の分割錠剤受入れ部（以下、錠剤ポケット１３という）を備え（具体例では構造上６×８列（合計４８で、そのうち３個はダミーになっている）、そのフレーム１２ａの両側にはガイドローラ１４（片側のみ図示）が付されて、機体側に設けられたガイドレール１１，１１′に転動自在に当接して長手方向に移動自在に支持されている。また、この錠剤分割移動容器１２の各錠剤ポケット１３の底部には、前進方向の後端部を支点として開閉できる開閉蓋（図示せず）がそれぞれ付されている。なお、この錠剤分割移動容器１２は、その一側部に付設されるドッグ１５を、前記一方（機体の操作側）のガイドレール１１の外側に沿って間欠的に走行駆動できるように配された巻掛け伝導機構１６（具体的にはタイミングベルト）に固着の動力伝達片１６ａと係合させて間欠的に横行し、戻り動作時には連続走行するように制御される。そして、前記錠剤分割移動容器１２は付設されるガイドローラ１４が前記ガイドレール１１，１１′に拘束されることなく転動できるようにされ、手で持上げると取外しできるようにされている。
【００２３】
このような錠剤分割移動容器１２が走行できる走行路Ａの下側には、そのほぼ中央部幅方向に少しの空間部１７を設けて、走行路構成部材１８，１９がそれぞれの基端１８ａ，１９ａを機体フレーム１ａに枢支されて、上下方向に開閉できるように配置されている。その一方（右側）の走行路構成部材（受け盤）１８は、前記錠剤分割移動容器１２の底部付設の開閉蓋（図示せず）を閉じるためのものであって、平板でその上面に前記開閉蓋と接して移動時摺動容易なように摺動抵抗が少ない樹脂製の滑り板１８ｂが貼付けられ、かつ先端１８ｃを、図３で示されるように、前記錠剤分割移動容器１２の錠剤ポケット１３の行に合わせて段階的に一定寸法で位置をずらせた状態で、機体中央部に設けられる錠剤ホッパー２１上に臨むように形成されている。
【００２４】
他方（左側）の走行路構成部材（ガイド盤）１９は、これまた前記右側の走行路構成部材１８と同様に、上面に樹脂製の滑り板１９ｂが貼付けられ、先端１９ｃを前記走行路構成部材１８とは逆に位置をずらせて段階状に形成され、かつその各段階ごとに先端に小形ローラ２０ａを水平軸周りに回転自在に支持するローラホルダー２０が付設され、このローラホルダー２０のローラ２０ａで前記走行路構成部材１８の先端１８ｃによって開かれた錠剤ポケット１３底の開閉蓋を反転して閉じるように案内する構成とされている。それら両走行路構成部材１８，１９は、いずれも下面の適所を機体フレーム１ａに配設される支持部材２２，２３によって、倒した状態で水平に保持されるようになされている。なお、前記支持部材２２，２３には上下に調節自在な複数の部片、例えばネジ棒が適宜配置され、そのネジ棒によって高さを調整されて水平に保たれるようにされている。
【００２５】
機体上部で前述の錠剤分割移動容器１２が走行する走行路Ａの中央部下側には、機体のフレーム１ａに支持されて脱着容易に支持される錠剤ホッパー２１が設けられ、このホッパー２１の下端部が別途散剤ホッパーの下端部とともに、包装装置６の包装材への薬剤投入用のシュート８（図１参照）に接続されるようになされている。
【００２６】
この薬剤分包機によって薬剤の分包作業を行うには、処方箋に基づいて例えば散剤と錠剤を分包するのに、散剤は予め設定した分包数に設定されている散剤分割枡３に所要量の散剤を投入して均し、その後に開閉板を開いて下方の散剤収納体３２に落下させると分割される。これに対して錠剤は、分包数に応じた錠剤分割収容室４に錠剤を順次投入して分配（分割）する。
【００２７】
その後に、散剤は受け入れられた散剤収納体３２（散剤分割器３０）を走行させることによって散剤ホッパーに順次散剤収納体３２から分割された散剤が投下され、シュート８を介して包装装置６における包装シートの移動部に供給されて封入され、分包される。錠剤は分配操作が終わると、シャッター４ａを開くことによって錠剤分割収容室４の直下に待機している錠剤分割移動容器１２の各錠剤ポケット１３に、分配された錠剤が落下して受け入れられる。次いで、錠剤を受け入れた錠剤分割移動容器１２が予め設定されている速度で間欠的に走行すると、錠剤ポケット１３の底に付されている開閉蓋は、走行路構成部材１８の先端１８ｃ部において、一方の端から順次開閉蓋と先端との接触が断たれる位置で、自重で下側に開き、錠剤ポケット１３内の錠剤を空間部１７から錠剤ホッパー２１内に投下させる。所定のタイミングで錠剤分割移動容器１２が走行して、かつ各錠剤ポケット１３の開閉蓋が移動方向横一列において走行路構成部材１８の先端１８ｃとの接触分離が少しずつ階段状にずれて行われるようにされているので、そのずれ分に応じて錠剤ホッパー２１への投下タイミングがずれて包装部で分包されるのである。
【００２８】
錠剤を投下した錠剤ポケット１３の開閉蓋は、その前方位置でそれぞれローラホルダー２０に支持されて突出すローラ２０ａと接触して持ち上げられて反転して閉じる。前記錠剤ポケット１３の開閉蓋は、所要量の錠剤を投下分包したのち錠剤分割移動容器１２を待機位置に戻すとき、空間部１７において前進時と逆の動作によってもとの状態に戻されて閉じる。
【００２９】
このような要領で分包操作が行われ多量の錠剤の取扱いによってホッパー２１部分の清掃が必要になった場合は、蓋体２を前側から後方に向かって引上げると、図２に示されるように、機体１の上部を開放することができる。蓋体２を開くと、錠剤分割移動容器１２ならびにその走行路Ａが開放される。そこで、錠剤分割移動容器１２を例えば図５に示されるように、両手で持って引上げれば、この錠剤分割移動容器１２は何等拘束されていないので、そのまま取外すことができる。錠剤分割移動容器１２を取外した状態では、走行路構成部材１８，１９の上面が開放されるので、次に図４で示されるように、左右の走行路構成部材１８，１９の先端部を持って引上げることにより、それぞれの枢支部１８ａ，１９ａを基点として左右に回動させ、起立させることができる。
【００３０】
こうすると、走行路Ａの下側がすべて開放された状態になり、錠剤ホッパー２１も開放されるので吸塵具（例えば機体に付属する吸塵ノズル４０）を用いて清掃することができる。なお、一般にこの錠剤ホッパー２１は取外し可能に設けられているので、その錠剤ホッパー２１を取外して内外ともに清浄に払拭することも任意に行えるのである。また、錠剤ホッパー２１を取外すことで、シュート８の内部を清浄にすることも容易である。
【００３１】
ホッパー部分の清掃後は、左右の走行路構成部材１８，１９を倒すことによりもとの状態に戻せるので、再び錠剤分割移動容器１２を手で持って、ガイドレール１１，１１′上に戻すとともに、ドッグ１５を巻掛け伝導機構１６の動力伝達片１６ａと係合させることにより復元できる。
【００３２】
このように、本実施例によれば、錠剤分割移動容器１２を取外すことにより、その走行路Ａを構成する走行路構成部材１８，１９を開閉させて錠剤ホッパー２０部分を大きく開放できるので、分包時における錠剤の移動経路を簡単に清掃でき、構造簡単にして、異物混入を予防することができるという効果を奏するのである。
【００３３】
次に、散剤分割手段における散剤分割器３０とその支持体３１は、機体１の棚板部５上で、蓋板２側に配設される散剤分割枡３の直下に散剤分割器３０待機状態で配置されるように設けられ、その支持体３１が一端部で垂直な支持軸３４によって水平回動自在に支持されている。そして、前記散剤分割器３０は、支持体３１に設けられた案内部に沿って図示されない駆動機により循環移動できるようにされている。この散剤分割器３０は、図示されないが、前記錠剤ホッパー２０に隣接して機体のほぼ中央部手前位置に設けられる散剤ホッパーの直上部で各散剤収納体３２の底部に付された開閉蓋が開かれて分割収納している散剤を投下するようにされている。また、その散剤を投下する位置からやや離れて散剤放出後の散剤収納体３２の内部残留付着粉を吸取る吸塵ノズル３３が上側に取付けられている。
【００３４】
このようにされる散剤分割器３０の支持体３１には、その基部３１ａにおいて機体1の棚板部５側とに関連してロック手段４０が設けられている。このロック手段４０としては、図７および図８にて示されるように、機体1の棚板部５の下面に取付けられるソレノイド４１によって操作されるベルクランク形の操作片４２と、支持体基部３１ａにおいて上下動自在にピン４６ａにて枢支されるロック片４６と、このロック片４６を受入れてロックさせる係止穴４５とで構成されている。そして、支持体３１の基端部には図示省略するが散剤分割器３０の後端を検知する位置検出センサ（検知手段）が設けられ、この位置検出センサが散剤分割器３０を検知しているときはロック手段４０が作動しないように制御部が構成されている。
【００３５】
このロック手段４０は、前記散剤分割器３０の支持体３１を機体の手前側に支持軸を基点として、所要回転角回動させて引き出して清掃作業ができるに適した位置で、機体1の棚板部５に長穴にされた係止穴４５が設けてある。この係止穴４５が設けられた棚板部５の下面にはブラケット４３を取付けて、これに前記操作片４２がピン４４にて枢支され、かつそのブラケット４３にて支持されるソレノイド４１の作動鉄心４１ａに繋がるロッド先端にピン４１ｂ連結されている。その操作片４２は、通常時、図7に実線にて表わされるように上部４２ａが係止穴４５内にあってその係止穴４５の上面（棚板部５の上面）とほぼ合致する状態に保たれている。
【００３６】
これに対して、ロック片４６は、その基端部においてピン４６ａで枢支されて先端部が自重で下がる状態にされているので、通常時にはその先端が棚板部５の上面に接する状態にある。
【００３７】
散剤分割器３０は、取扱う散剤が変更されるとき、錠剤とは異なりどうしても僅かに微粉が散剤収納体３２の内面などに付着しやすいので、それを清掃して次の分包作業時に混入することを予防する必要がある。
【００３８】
散剤分割器３０の清掃を行うには、蓋体２を開き、その後に図９で示されるように、散剤分割器３０の支持体３１の先端部を手前に引くと、支持軸３４を中心として回動して散剤分割器３０の各散剤収納体３２を清掃容易な状態にすることができる。この状態で散剤分割器３０を走行させると、位置検出センサによりソレノイド４１が作動され、操作片４２が図７に鎖線ｂで表わされるように引き下げられる。すると、散剤分割器の支持体３１側に付設されているロック片４６が先端部でフリーの状態にあるから操作片４２が引き下げられて開口している係止穴４５内に落ち込む。
【００３９】
この散剤分割器３０を走行させて位置をずらせると便利である。そこで、散剤分割器３０を移動させて、吸塵具を用い、その吸塵ノズル４０によって各散剤収納体３２の内部を清浄に清掃するとき、図示省略するが手前側にある散剤収納体３２が支持体３１の案内に沿って矢印ｃで示すように反対側に走行移動される。
【００４０】
この散剤分割器３０は、分包作業時（正常位置に配されている場合）順次散剤ホッパー内に分割された散剤を投下させるために走行する際、その先端側（図上左側）が手前位置からその反対側に移動して全部の散剤収納体３２がホッパーに散剤を投下した状態で、先端が錠剤ホッパーと接触しないように設定されている。しかしながら、この種調剤分包作業は多忙を極めることが多く、そのために、清掃が終わると直ちに次に作業に移ろうとすることから、散剤分割器３０を移動させたままで元へ戻す操作を行うことが多々ある。
【００４１】
このような誤動作を行うと、前述のように、散剤分割器３０を移動させるとロック手段４０が作動して、ロック片４６が係止穴４５内に挿入されているので、支持体３１を元の位置に戻そうとしても、係止穴４５とロック片４６との係合によって回動が阻止される。したがって、このような状態では散剤分割器３０を戻せないことが認識され、同時に錠剤ホッパー２０に散剤分割器３０が接触して破損事故を起こすのを予防できるのである。
【００４２】
このような状態で散剤分割器３０を機体内に戻すには、支持体３１上に設けられるスイッチ３５を操作して、駆動機を逆転作動させることによりその散剤分割器３０を待機位置（図９で示される状態）に戻せば、位置検知センサの作動でロック手段４０のソレノイド４１により操作片４２が元の位置に戻される。その結果、係止穴４５内にあったロック片４６が操作片４２によって係止穴４５外に押戻され、ロックが解除される。したがって、支持体３１を押戻せば、散剤分割器３０は機体内に戻されて蓋体2を閉じることができ、次の作業に移行できるのである。
【００４３】
このように、本実施例によれば、錠剤分割移動容器の走行路を構成する走行路構成部材を上下開放できる構成としたことによって、錠剤ホッパーの清掃作業を容易にすることができる。また、散剤分割器を機体の手前側に引き出して清掃を行った後は、必ずその散剤分割器を待機位置に戻さないと正常に復帰できない構成としたことにより、装置の破損などの事故を予防することができる。そして、これらの構成をごく簡単な構成で所期の目的を達成できるようにしたことで、コストアップを招くことなく機能性の高い分包機を提供できるという効果を奏するのである。
【００４４】
以上の説明において、本実施例に係る錠剤分割移動容器の走行路Ａを形成する左右の走行路構成部材は、それぞれの長手方向の端部を基点として上下方向に開閉できる構成のものについて記載しているが、これに限定されるものではなく、このほかに、走行路構成部材の長手方向一側部、好ましくは操作側から遠位置の側部で起倒可能に構成することもできる。また、散剤の分割手段としては、前述の実施例のような方式のみならず、円板上で散剤を分割するタイプの機種においても採用することができる。したがって、前記実施例に限定されるものではない。
【００４５】
また、本実施例における散剤分割器の支持体引出し位置でのロック手段については、上記実施例に限定されるものではなく、ロック片を上下作動式のピン構造にすること、あるいは操作片をカギ構造にして、もしくは突上げ式のロックピンにするなど、任意の構造のものが採用できる。
【図面の簡単な説明】
【図１】図１は、本発明の薬剤分包機の一実施例全体外形図である。
【図２】図２は、蓋体を開いた状態の本実施例の薬剤分包機斜視図である。
【図３】図３（ａ）は錠剤分割移動容器の走行路構成部分を表わす平面図を示し、（ｂ）は（ａ）のＡ−Ａ視断面図で走行路構成部材を開いている態様を併記した図である。
【図４】図４は、錠剤分割移動容器の走行路構成部材を開いた状態を表わす斜視図である。
【図５】図５は、錠剤分割移動容器の着脱態様を表わす図である。
【図６】図６は、錠剤ホッパー部分の状態説明図である。
【図７】図７は、散剤分割器支持体のロック手段を示す要部断面図である。
【図８】図８は、ロック手段の平面視図である。
【図９】図９は、散剤分割器とその支持体を手前側に引出した態様を表わす斜視図である。
【符号の説明】
１                    機体
２                    蓋体
３                    散剤分割枡
４                    錠剤分割収容室
５                    棚板部
１１，１１′          ガイドレール
１２                  錠剤分割移動容器
１３                  錠剤ポケット
１４                  ガイドローラ
１５                  ドッグ
１６                  巻掛け伝導機構
１６ａ                動力伝達片
１７                  空間部
１８                  走行路構成部材（受け盤）
１９                  走行路構成部材（ガイド盤）
２０                  ローラホルダー
２１                  錠剤ホッパー
３０                  散剤分割器
３１                  散剤分割器の支持体
３２                  散剤収納体
４０                  ロック手段
４１                  ソレノイド
４２                  操作片
４３                  ブラケット
４４                  ピン
４５                  係止穴
４６                  ロック片
【図１】
0004447748.tif 000002
【図２】
0004447748.tif 000003
【図３】
0004447748.tif 000004
【図４】
0004447748.tif 000005
【図５】
0004447748.tif 000006
【図６】
0004447748.tif 000007
【図７】
0004447748.tif 000008
【図８】
0004447748.tif 000009
【図９】
0004447748.tif 000010